(57)【要約】【課題】本発明は、頭皮や頭髪に対する洗浄力を維持しながら、高いマッサージ実感を与えることのできる頭皮洗髪用ブラシを提供する。【解決手段】本発明の頭皮洗浄用ブラシは、ブラシ面に挿通孔を有する基台と、可撓性を有する平板部と、ブラシ面とは反対側の面に対向する平板部の一面側における第１領域に、挿通孔に挿通され一面に交差する第１方向に延びる可撓性の突起部と、を有するブラシ部材と、基台及びブラシ部材が装着される開口部を有し中空状に形成された筐体と、を備え、突起部は、突起部よりも大径をなす挿通孔に挿通され、平板部の第１領域とともに基台に対して第１方向に往復移動可能となっていることを特徴とする。【選択図】図１
2016220976.tif 000002
【特許請求の範囲】
【請求項１】
ブラシ面に挿通孔を有する基台と、
可撓性を有する平板部と、前記ブラシ面とは反対側の面に対向する前記平板部の一面側における第１領域に、前記挿通孔に挿通され前記一面に交差する第１方向に延びる可撓性の突起部と、を有するブラシ部材と、
前記基台及び前記ブラシ部材が装着される開口部を有し中空状に形成された筐体と、を備え、
前記突起部は、前記突起部よりも大径をなす前記挿通孔に挿通され、前記平板部の前記第１領域とともに前記基台に対して前記第１方向に往復移動可能となっている
ことを特徴とする頭皮洗浄用ブラシ。
【請求項２】
前記ブラシ部材は、周縁に前記筐体に支持される複数の支持部を有し、
前記突起部が、前記一面と平行な第２方向に離間する一対の前記支持部の間に配置されている
請求項１に記載の頭皮洗浄用ブラシ。
【請求項３】
前記平板部の前記一面側に複数の第２の前記突起部を有し、
第１の前記突起部は、前記複数の第２の突起部よりも高さを有する
請求項１または２に記載の頭皮洗浄用ブラシ。
【請求項４】
前記第１の突起部は、前記第２の突起部よりも太い径を有する
請求項３に記載の頭皮洗浄用ブラシ。
【請求項５】
前記第１の突起部は、
先端側に設けられた複数の先端部と、
根元側に設けられ、前記第１方向から見たときに前記複数の先端部を含む大きさの径を有する根元部と、を有する
請求項３または４に記載の頭皮洗浄用ブラシ。
【請求項６】
前記ブラシ部材には、先端に向かって径が小さくなるテーパー形状の前記第２の突起部と、先端に向かって径が等しいストレート形状の前記第２の突起部と、が設けられている
請求項３から５のいずれか一項に記載の頭皮洗浄用ブラシ。
【請求項７】
前記基台には、前記ブラシ面に複数の毛束が植毛されており、
一方向に列をなす前記複数の毛束を挟み込むようにして、その列の両側に前記突起部がそれぞれ配置されている
請求項１から６のいずれか一項に記載の頭皮洗浄用ブラシ。
【請求項８】
前記平板部には、前記一面とは反対の他面側から前記突起部内に凹む凹部が設けられている
請求項１から７のいずれか一項に記載の頭皮洗浄用ブラシ。
【発明の詳細な説明】
【技術分野】
【０００１】
本発明は、頭皮洗浄用ブラシに関する。
【背景技術】
【０００２】
従来から、頭皮を洗浄する際に使用するブラシとして、種々のものが知られている。
例えば、樹脂製の突起部と、複数の用毛からなる毛束と、が基台にそれぞれ複数ずつ配設された構成（特許文献１〜４）が提案されている。突起部および毛束の配設パターンや突起部の断面形状等については様々であり、頭皮や毛穴に対する洗浄効果だけでなく、頭皮のマッサージ効果の向上を図ったものが多い。
【先行技術文献】
【特許文献】
【０００３】
【特許文献１】特開２００９−２０１５７０号公報
【特許文献２】特開平１１−７００１９号公報
【特許文献３】特開２０００−６０６４０号公報
【特許文献４】特開２０００−１３９５６７号公報
【発明の概要】
【発明が解決しようとする課題】
【０００４】
従来の頭皮洗浄用ブラシでは、主に突起部が頭髪をかき分けて、毛束が頭皮を洗浄する役目を担っており、突起部による上記作用の相乗効果として頭皮のマッサージ効果が得られるようになっている。しかしながら、ユーザーによっては、洗髪時に頭皮に対するマッサージ作用をより実感したいとの要望がある。
【０００５】
本発明は上記事情に鑑みてなされたものであり、頭皮や頭髪に対する洗浄力を維持しながら、高いマッサージ実感を与えることのできる頭皮洗髪用ブラシを提供することを目的とする。
【課題を解決するための手段】
【０００６】
本発明における一態様における頭皮洗浄用ブラシは、ブラシ面に挿通孔を有する基台と、可撓性を有する平板部と、前記ブラシ面とは反対側の面に対向する前記平板部の一面側における第１領域に、前記挿通孔に挿通され前記一面に交差する第１方向に延びる可撓性の突起部と、を有するブラシ部材と、前記基台及び前記ブラシ部材が装着される開口部を有し中空状に形成された筐体と、を備え、前記突起部は、前記突起部よりも大径をなす前記挿通孔に挿通され、前記平板部の前記第１領域とともに前記基台に対して前記第１方向に往復移動可能となっていることを特徴とする。
【０００７】
上記の構成によれば、平板部の第１領域に設けられた突起部が平板部とともに基台に対して往復移動する構成のため、使用者の動作に追従して突起部を変位（移動）させることができ、第１の突起部による頭皮への押圧状態を維持することができる。これにより、使用者は頭皮が押された感触を得ることができ、マッサージ効果をより実感することができる。
【０００８】
また、本発明の頭皮洗浄用ブラシの一態様として、前記ブラシ部材は、周縁に前記筐体に支持される複数の支持部を有し、前記突起部が、前記一面と平行な第２方向に離間する一対の前記支持部の間に配置されている構成としてもよい。
【０００９】
上記の構成によれば、突起部の変位量（移動量）を大きくすることができるとともに、移動時において突起部が基台に対して真直ぐな姿勢を維持しやすくなる。
【００１０】
また、本発明の頭皮洗浄用ブラシの一態様として、前記平板部の前記一面側に複数の第２の前記突起部を有し、第１の前記突起部は、前記複数の第２の突起部よりも高さを有する構成としてもよい。
【００１１】
上記の構成によれば、第１の突起部が先に頭皮に当接した状態で、他の第２の突起部が頭皮に当接することになる。頭皮に押し付けられることで変位した第１の突起部は、その弾性復帰に伴って頭皮への押圧力が第２の突起部よりも高くなる。使用時においては、複数の第２の突起部によって頭髪をかき分けながら、常に第１の突起部において頭皮を押圧した状態が維持される。このため、使用者はマッサージ実感を得やすい。
【００１２】
また、本発明の頭皮洗浄用ブラシの一態様として、前記第１の突起部は、前記第２の突起部よりも太い径を有する構成としてもよい。
【００１３】
上記の構成によれば、第１の突起部による頭皮への押圧力を高めることができる。
【００１４】
また、本発明の頭皮洗浄用ブラシの一態様として、前記第１の突起部は、先端側に設けられた複数の先端部と、根元側に設けられ、前記第１方向から見たときに前記複数の先端部を含む大きさの径を有する根元部と、を有する構成としてもよい。
【００１５】
上記の構成によれば、頭皮への当たり心地が高まるためマッサージ実感が得やすい。
【００１６】
また、本発明の頭皮洗浄用ブラシの一態様として、前記ブラシ部材には、先端に向かって径が小さくなるテーパー形状の前記第２の突起部と、先端に向かって径が等しいストレート形状の前記第２の突起部と、が設けられている構成としてもよい。
【００１７】
上記の構成によれば、テーパー形状の第２の突起部によって頭髪を絡みなくかき分けることができ、ストレート形状の第２の突起部によって頭皮への押圧力を高めることができる。このため、第２の突起部では、頭髪のかき分け作用だけでなくマッサージ作用も得られる。
【００１８】
また、本発明の頭皮洗浄用ブラシの一態様として、前記基台には、前記ブラシ面に複数の毛束が植毛されており、一方向に列をなす前記複数の毛束を挟み込むようにして、その列の両側に前記突起部がそれぞれ配置されている構成としてもよい。
【００１９】
上記の構成によれば、突起部によって頭髪をかき分けることで、毛束による頭皮の毛穴洗浄力を高めることができる。
【００２０】
また、本発明の頭皮洗浄用ブラシの一態様として、前記平板部には、前記一面とは反対の他面側から前記突起部内に凹む凹部が設けられている構成としてもよい。
【００２１】
上記の構成によれば、突起部の往復移動時に凹部開口が開くように凹部形状が変形することによって、突起部の変位量（移動量）を大きくすることができる。
【発明の効果】
【００２２】
本発明の頭皮洗浄用ブラシによれば、頭皮や頭髪に対する洗浄力を維持しながら、高いマッサージ実感を与えることができる。
【図面の簡単な説明】
【００２３】
【図１】頭皮洗浄用ブラシの構成を示す斜視図。
【図２】実施形態の頭皮洗浄用ブラシを示す側面図。
【図３】頭皮洗浄用ブラシを示す底面図。
【図４】頭皮洗浄用ブラシ１の各構成を示す分解斜視図。
【図５】基台の概略構成を示す図であって、（ａ）平面図、（ｂ）Ａ−Ａ’ 線断面図、（ｃ）Ｂ−Ｂ’ 線断面図。
【図６】ブラシ部材の概略構成を示す図であって、（ａ）平面図、（ｂ）Ｃ−Ｃ’ 線断面図、（ｃ）Ｄ−Ｄ’ 線断面図、（ｄ）Ｅ−Ｅ’線断面図。
【図７】基台にブラシ部材を取り付けた状態を示す図であって、（ａ）平面図、（ｂ）Ｆ−Ｆ’ 線断面図、（ｃ）Ｇ−Ｇ’線断面図。
【図８】頭皮洗浄用ブラシの組立図。
【図９】実施例２の頭皮洗浄用ブラシの構成を示す平面図。
【図１０】実施例３の頭皮洗浄用ブラシの構成を示す平面図。
【図１１】比較例１の頭皮洗浄用ブラシの構成を示す平面図。
【図１２】比較例２の頭皮洗浄用ブラシの構成を示す平面図。
【発明を実施するための形態】
【００２４】
本発明の一実施形態にかかる頭皮洗浄用ブラシについて、図面を参照して以下に説明する。
図１は、頭皮洗浄用ブラシの構成を示す斜視図である。図２は、本実施形態の頭皮洗浄用ブラシを示す側面図である。図３は、頭皮洗浄用ブラシを示す底面図である。
【００２５】
先ず、頭皮洗浄用ブラシの概要について説明する。
図１に示すように、頭皮洗浄用ブラシ１は、基台２と、ブラシ部材７と、筐体４と、を有する。頭皮洗浄用ブラシ１は、図２に示すように、基台２に設けられた複数の毛束群３と、ブラシ部材７に設けられた第１の突起部１１及び複数の第２の突起部１２と、を有しており、これらが洗髪作用を担う。筐体４には把持部４２が設けられており、使用者は把持部４２に人差し指と中指を引っ掛けて、本体２Ａを握るように使用する。
この４２を握りながら使用する。
【００２６】
本実施形態における頭皮洗浄用ブラシ１には、図２及び図３に示すように、基台２のブラシ面２１に複数（図示例では４束を１群として１６群）の毛束群３と、弾性を有する複数の（図示例では１３本）の突起部１１，１２が設けられている。ブラシ面２１の中央に第１の突起部１１が設けられ、ブラシ面２１の周縁側に複数の第２の突起部１２が設けられている。
【００２７】
本実施形態における頭皮洗浄用ブラシ１は、第２の突起部１２よりも太い径を有する第１の突起部１１が、基台２に対してブラシ面２１の法線方向（第１方向）に往復移動可能である。つまり、頭皮洗浄用ブラシ１を頭に押し付けた場合に、第１の突起部１１がブラシ面２１から筐体４側へ凹むように変位する構造となっている。
【００２８】
ここで、図３に示すように、平面視楕円形のブラシ面２１の長軸方向Ｄ１に並ぶ単位を行、短軸方向（第２方向）Ｄ２に並ぶ単位を列とする。第２の突起部１２は、６行２列の配列をなしてブラシ面２１に設けられている。但し、上記配列の四隅に該当する部分には、第２の突起部１２は設けられていない。
【００２９】
図示例では、上記配列の１行目及び６行目には、ブラシ面２１の短軸方向Ｄ２の両側に一対の第２の突起部１２Ａが設けられ、これらの間に２つの毛束群３が存在する。また、上記配列の２行目〜５行目には、ブラシ面２１の短軸方向Ｄ２の両側に一対の第２の突起部１２Ｂが設けられている。上記配列の２行目及び５行目における一対の第２の突起部１２Ｂの間には、４つの毛束群３が存在する。上記配列の３行目及び４行目では、短軸方向Ｄ２における一方の第２の突起部１２Ｂと第１の突起部１１との間、他方の第２の突起部１２Ｂと第１の突起部１１との間に、それぞれ一つずつ毛束群３が存在する。
このように、頭皮洗浄用ブラシ１のブラシ面２１には、基台２の短軸方向Ｄ２に列をなす複数の毛束群３を挟みこむようにして、その列の両側に一対の突起部１２がそれぞれ存在する。
【００３０】
なお、第２の突起部１２の配設数、配列パターン、長さや太さ、構成する毛束群３と第２の突起部１２との割合等は図示例に限定されない。
【００３１】
次に、頭皮洗浄用ブラシ１の各構成要素について詳細に説明する。
図４は、頭皮洗浄用ブラシ１の各構成を示す分解斜視図である。図５は、基台の概略構成を示す図であって、（ａ）平面図、（ｂ）Ａ−Ａ’ 線断面図、（ｃ）Ｂ−Ｂ’ 線断面図である。図６は、ブラシ部材の概略構成を示す図であって、（ａ）平面図、（ｂ）Ｃ−Ｃ’ 線断面図、（ｃ）Ｄ−Ｄ’ 線断面図、（ｄ）Ｅ−Ｅ’線断面図である。図７は、基台にブラシ部材を取り付けた状態を示す図であって、（ａ）平面図、（ｂ）Ｆ−Ｆ’ 線断面図、（ｃ）Ｇ−Ｇ’線断面図である。図８は、頭皮洗浄用ブラシの組立図である。
【００３２】
（基台）
基台２は、図４及び図５（ａ）に示すように、平面視略楕円形の平板状に形成されている部材であって、植毛面であるブラシ面２１を有すると共に側壁２ｂを備えた本体２Ａを備えている。図に示すように、本体２Ａは、例えばポリプロピレン等の一般的な硬質樹脂材料等から形成されている。
【００３３】
本体２Ａには、ブラシ面２１の中央位置に第１の突起部１１が挿通される第１挿通孔（挿通孔）１５が設けられ、ブラシ面２１の周縁側であって複数の植設穴８よりも外側に、第２の突起部１２が挿通される第２挿通孔（挿通孔）１６が複数設けられている。第１挿通孔１５は、第１の突起部１１の直径よりも大きな穴径を有する（図７（ａ）参照）。これにより、第１挿通孔１５に挿通された第１の突起部１１が基台２に対して移動可能となる。一方、第２挿通孔１６は、第２の突起部１２の直径と略同じ穴径となっていることから、可撓性を有した第２の突起部１２が当該第２挿通孔１６に係止する（図７（ｂ）参照）。このため、各第２の突起部１２は、基台２のブラシ面２１に対して移動しにくくなっている。
【００３４】
上述したように、基台２のブラシ面２１には複数の毛束３ａが植設されている。複数の毛束３ａは、ブラシ面２１に設けられた各植設穴８に植設されることで各毛束群３を構成している。本実施形態では、４つの毛束３ａで一つの毛束群３を構成している。
【００３５】
毛束３ａは、複数本（１０本〜３０本程度）の用毛３１が束ねられて構成されている。
用毛３１としては、先端に向けて漸次細くなる先細り状とされた毛（テーパー毛）、毛先の丸め部を除いて外径がほぼ同一である毛（ストレート毛）、毛先が球状である毛、豚毛などの動物毛等が挙げられる。頭皮の毛穴の洗浄の良好性を考慮すると、用毛３１としては、先端に向けて漸次細くなる先細り状とされたテーパー毛が好ましい。該テーパー毛の材質としては、例えばポリブチレンテレフタレート（ＰＢＴ）、ポリエチレンテレフタレート（ＰＥＴ）、ポリトリメチレンテレフタレート（ＰＴＴ）、ナイロン、ポリエステル等の一般的な樹脂材料を用いることができる。また、例えば美観向上等を目的として、合成樹脂主体の素材に他成分を混合した材料や、耐久性の向上を目的として抗菌剤等を添加した材料を用いてもよい。
【００３６】
用毛３１としては、先端から０．１ｍｍの位置における直径が、例えば５〜５０μｍの範囲となるように、中央から先端に向けて漸次縮径した形状であることが好ましい。その場合、用毛３１の長手方向の中央の直径は、例えば１５０〜４００μｍの範囲内であることが好ましく、１７０〜３８０μｍの範囲内がより好ましい。
本実施形態では、複数の毛束３ａのブラシ面２１からの平均高さを、すべて１３ｍｍとした。
【００３７】
基台２には、図５（ａ），（ｂ）に示すように、筐体４に取り付けるための嵌合爪２４が複数設けられている。複数の嵌合爪２４は、本体２Ａの短軸方向Ｄ２の両側の側壁２ｂに沿って互いに所定の間隔をおいて配置されている。なお、基台２を筐体４に取り付けるための手段はこれに限定されない。例えば、嵌合爪２４が、基台２上において図示例とは異なる位置に配置されていても良いし、基台２をねじ止め等によって筐体４に取り付ける構成としてもよい。
【００３８】
また、基台２には、図４及び図５（ａ）に示すように、長軸方向Ｄ１の両側の各端部であってブラシ面２１の周縁に、一対の切欠部１４が設けられている。基台２が筐体４に取り付けられた状態で、切欠部１４は筐体４の開口部４１（図４参照）とで貫通孔を形成する。これにより、頭皮洗浄用ブラシ１の内部が外部に開放され、基台２に浸入した水が排水される。
【００３９】
さらに、基台２には、図４及び図５（ｃ）に示すように一対の取付部２５が設けられている。取付部２５は、ブラシ面２１の各切欠部１４側の端部に設けられ、ブラシ面２１とは反対側の裏面２６側に延出するようにして設けられている。一対の取付部２５は、ブラシ部材７を本体２Ａに取り付けるためのものである（図７（ｃ）参照）。
【００４０】
裏面２６には、毛束群３に対応する位置に、４つの植設穴８を形成するための穴成形部２８と、穴成形部２８の中央から突出する凸部２９と、が複数形成されている。ここで、凸部２９の先端面が側壁２ｂの端面と面一となっている。これにより、ブラシ面２１に毛束３ａを植設する際にブラシ面２１を水平に維持することができ、基台２の破損が防止される。
【００４１】
（ブラシ部材）
ブラシ部材７は、図４及び図６（ａ）に示すように、可撓性を有する材料により平面視楕円形状に形成されており、平板部９と、第１の突起部１１および複数の第２の突起部１２と、複数の支持部２７と、複数の基部２２と、一対の取付部２３と、を有して構成されている。
【００４２】
平板部９は、その板厚ｔが１ｍｍ≦ｔ≦３ｍｍの範囲内とされている。板厚ｔが１ｍｍ未満の場合は耐久性が低下して破損しやすくなり、３ｍｍを超える場合は平板部９の柔軟性が低下して、ブラシ面２１に対して第１の突起部１１が凹みにくくなる。
【００４３】
図６（ｂ）〜（ｃ）に示すように、平板部９には、一面９ａとは反対側の裏面９ｂ側から第１の突起部１１及び各第２の突起部１２内に凹む凹部９Ｄが設けられている。凹部９Ｄを設けることによって、第１の突起部１１が凹みやすくなる効果も得られる。
【００４４】
また、平板部９には、板厚方向を貫通する貫通孔９ｃが複数形成されている。貫通孔９ｃは、基台２の裏面側に設けられた凸部２９に対応する位置に形成されており、凸部２９を挿通させるためのものである。
【００４５】
第１の突起部１１および複数の第２の突起部１２は、図４及び図６に示すように、平板部９の一面９ａ（基台２のブラシ面２１とは反対側の面に対向する面）に設けられ、一面９ａの法線方向（第１方向）に互いに平行に延びている。
【００４６】
第１の突起部１１は、上記一面９ａの中央における第１領域Ａ１（図６（ｂ）参照）に位置し、上記基台２の第１挿通孔１５に挿通される。第２の突起部１２は、上記一面９ａの周縁側における第２領域Ａ２（図６（ｃ）参照）に位置し、上記基台２の第２挿通孔１６に挿通される。一面９ａの第２領域Ａ２には複数の基部２２が設けられており、当該基部２２の表面２２ａの一部から第２の突起部１２がそれぞれ延出している。
【００４７】
第１の突起部１１は、先端側に設けられた複数の先端部１８と、根元（平板部９）側に設けられ、ブラシ面２１の法線方向から見たときに複数の先端部１８を含む大きさの径を有する根元部１９と、を有し、先端側が分岐した構造をなす。本実施形態では、４つの先端部１８を有しており、ブラシ部材７の長軸方向Ｄ１に２つ及び短軸方向Ｄ２に２つずつ並ぶように設けられ、相互に離間した状態である。なお、先端部１８の数は４つに限られたものではなく適宜変更が可能であるが、頭皮への当たり心地を高めるために、先端部１８を複数設けることが好ましい。
【００４８】
また、図６（ｂ），（ｃ）に示すように、第１の突起部１１の根元側は、平板部９の板厚方向への往復移動で生じる応力集中によって、第１の突起部１１と平板部９との境界部分が破れてしまうのを抑制するために、テーパー状とされている。
【００４９】
第２の突起部１２Ａ及び第２の突起部１２Ｂは、互いの外形が異なっており、第２の突起部１２Ａは、先端に向かいその径が略同一である形状に形成されている。一方、第２の突起部１２Ｂは、先端に向けて漸次細くなる先細り状に形成されている。第２の突起部１２Ａ，１２Ｂの最大直径は互いに等しく、本実施形態では直径約６ｍｍとなっている。なお、第２の突起部１２Ａ，１２Ｂの最大直径は互いに異なっていてもかまわない。
【００５０】
本実施形態では、第１の突起部１１のブラシ面２１からの高さｈ１１が、複数の第２の突起部１２のブラシ面２１からの高さｈ１２よりも大きい。また、第１の突起部１１及び第２の突起部１２はいずれも毛束群３の毛丈ｈ３より高さを有しており、それぞれの高さがｈ１１＞ｈ１２＞ｈ３の関係を満たしている。これにより、最も先に第１の突起部１１が頭髪あるいは頭皮に接触するとともに、第２の突起部１２が複数の毛束群３よりも先に頭皮に接触する構造となっている。
具体的に、第１の突起部１１のブラシ面２１からの高さは、１７．５〜２２ｍｍの範囲内であることが好ましい。また、第１の突起部１１と第２の突起部１２の高さの差は０．５〜５ｍｍであることが好ましい。
【００５１】
複数の支持部２７は、図６（ａ）に示すように、短軸方向Ｄ２の両側にそれぞれ２つずつ、計４つ設けられている。支持部２７は、ブラシ部材７の周方向外側に突出し、第２の突起部１２Ｂが設けられた基部２２と一体に形成されている。支持部２７は、ブラシ部材７が筐体４に組み込まれた際に筐体４に支持される部分である。これら支持部２７により、ブラシ部材７が筐体４に組み込まれた際に、ブラシ部材７の周縁が筐体４に支持されることになる。上述した第１の突起部１１は、ブラシ部材７の短軸方向Ｄ２の両側に離間する一対の支持部２７の間の中央に配置されている。
【００５２】
ブラシ部材７には、図６（ｂ）に示すように、平板部９の長軸方向Ｄ１の両側に一対の取付部２３が設けられている。各取付部２３は、平板部９の一面９ａよりも突起部１１，１２側へ湾曲形成されており、各々の中央部分に係止穴２３ａを有している。これら係止穴２３ａは、上述した基台２の取付部２５（図４参照）に係止される。
【００５３】
ブラシ部材７の材料として、デュロメータ・タイプＡによりＪＩＳ  Ｋ６２５１に準拠して測定された数値（ショアＡ硬度）が、４０度以上９０度以下である材料が好ましく、４０度以上８０度以下の材料がより好ましい。具体的な材料としては、例えば、ポリエチレン、ポリプロピレン等のポリオレフィン系樹脂、ナイロン、ポリアセタール等の合成樹脂、ポリエチレン、ポリプロピレン、スチレン、シリコーン及びウレタンゴム等の各種エラストマー等の弾性材料が挙げられる。ここで、頭皮に対して効率良くマッサージ効果を付与できる点から、前記材料の中でもエラストマーを用いることがより好ましい。
【００５４】
（筐体４）
筐体４は、図４に示すように、開口部４１を有するとともに内部に空洞（中空部）４ａが形成された中空状の部材である。筐体４は、例えばポリスチレン系樹脂等の樹脂から形成されている。
【００５５】
筐体４は、平面視楕円形であり、天端４ｆから開口部４１に向かうに従い拡径し、次いで開口部４１に向かうに従い縮径するように形成されている。筐体４は滑らかな曲線でつながれたドーム状の形状をなしている。
【００５６】
筐体４は、短軸方向Ｄ２の両側が平面視円弧状の輪郭を形成する湾曲部４ｃとされている。短軸方向Ｄ２における一方側の湾曲部４ｃは、ブラシ面２１を斜め上方に向けて頭皮洗浄用ブラシ１を置いた際に下方に位置する。
【００５７】
筐体４の短軸方向Ｄ２の両側には、空洞４ａ内の水を排出するための排出口１３がそれぞれ複数ずつ形成されている。具体的に、本実施形態において、排出口１３は、筐体４において最も拡径して張り出した部分（即ち、基台２の外方に張り出した部分）の湾曲部４ｃに形成されている。
【００５８】
排出口１３の数は特に制限されないが、例えば１個以上７個以下であることが好ましい。排出口１３の数を上記範囲とすることにより、筐体４内の水がより速やかに排水されると共に落下時の強度を保ち、割れを防ぐことができる。
【００５９】
筐体４の天端４ｆには、ブラシ面２１から離れる方向に突出した把持部４２が設けられている。把持部４２は、使用者が頭皮洗浄用ブラシ１を片手で操作しやすいように、挟み部４２ａと、係止部４２ｂとから構成されている。挟み部４２ａは、平面視において、長軸方向Ｄ１を長手とする部材である。係止部４２ｂは、平面視楕円形の平板状の部材であり、挟み部４２ａの突端に設けられ、人差し指と中指で係止可能とされている。把持部４２の天端４ｆからの突出高さおよび把持部４２の形状は、操作しやすいように使用者の指の大きさ等を考慮して設定されることが好ましい。
【００６０】
筐体４の開口部４１には、図７及び図８に示すように、既にブラシ部材７が取り付けられた状態の基台２が、図８中の矢印Ｊで示す方向に嵌め込まれて装着される。このように基台２が装着された際には、基台２に形成された孔部１７と排出口１３が側面視で重なっている。また、孔部１７により基台２内の空洞と筐体４の外部が孔部１７と排出口１３によって連通した状態とされている。
【００６１】
筐体４の内側には、図４に示すように、平面視で開口部４１周縁から筐体４の中央に向かって張り出した段差部４３Ａ，４３Ｂが設けられている。さらに、筐体４の短軸方向Ｄ２の両側に、筐体４の内側から排出口１３に向かう切欠４４が形成されている。段差部４３Ｂは、切欠４４の間に存在する。
【００６２】
この構成では、筐体４の開口部４１に、基台２が嵌め込まれて装着された際に、基台２が段差部４３Ａに当たって位置決めされる。また、基台２の内側に取り付けられたブラシ部材７は段差部４３Ｂにおいて支持される。具体的には、ブラシ部材７の支持部２７が筐体４の段差部４３Ｂに当接することで、筐体４側へのブラシ部材７の移動が規制される。
なお、上述した構成に限られず、例えば、筐体４に段差部４３Ａ，４３Ｂを設けずに、樹脂製のリング状部材を開口部４１に嵌め込んだ構成としてもよい。このリング状部材にブラシ部材７の支持部２７が当接することになる。
【００６３】
また、切欠４４が設けられていることで、空洞４ａに浸入した水が切欠４４に沿って排出口１３に効率よく集められ、排出口１３から速やかに排水される。
【００６４】
次に、頭皮洗浄用ブラシの使用方法について説明する。
使用者は、人差し指と中指との間で把持部４２を挟み、頭皮上で、基台２のブラシ面２１における短軸方向Ｄ２に往復移動させて頭皮を洗浄する。この際、頭皮に対してブラシ面２１を面対向させるようにして頭皮洗浄用ブラシ１を用いるとすると、先ず、頭皮洗浄用ブラシ１の第１の突起部１１が頭皮あるいは頭髪に接触して筐体４側へと凹み、続けて第２の突起部１２が頭皮あるいは頭髪に接触する。この状態で、使用者が頭皮洗浄用ブラシ１を短軸方向Ｄ２に往復移動させると、複数の第２の突起部１２によって頭髪がかき分けられて、毛束群３によって頭皮の毛穴が洗浄される。複数の第２の突起部１２は、ブラシ面２１に対して凹む構造にはなっていないため、頭髪を効率よくかき分けられる。
【００６５】
本実施形態の頭皮洗浄用ブラシ１によれば、複数の毛束群３によって毛穴を洗浄できるとともに、第１の突起部１１及び複数の突起部１２によって頭皮にマッサージ効果を付与することができる。特に本実施形態では、第１の突起部１１が、ブラシ面２１に対して往復移動する構成となっているため、頭皮洗浄用ブラシ１の使用時には、第１の突起部１１が頭髪あるいは頭皮に接触して凹んだ状態となる。つまり、使用者の動作に追従して第１の突起部１１を変位させることができるとともに、第１の突起部１１がその弾性復帰力によって頭皮を押圧する状態となる。これにより、使用者は第１の突起部１１によって頭皮が押された感触を得ることができ、より高いマッサージ効果及びマッサージ実感の両方を得ることができる。
【００６６】
また、本実施形態の頭皮洗浄用ブラシ１によれば、頭皮が敏感な人であっても、頭皮洗浄用ブラシ１を頭皮に押し当てた際に過剰な力が頭皮に係りにくくなり、痛みを感じることがなくなる。
【００６７】
本実施形態のブラシ部材７は、支持部２７が筐体４の段差部４３Ｂに当接することによって筐体４内に固定される。第１の突起部１１は、ブラシ部材７の中央部分であって、短軸方向Ｄ２における支持部２７の間のほぼ中間に配置されている。このため、ブラシ面２１の法線方向における第１の突起部１１の変位量（移動量）を大きくすることができるとともに第１の突起部１１が真直ぐな姿勢を維持しやすくなる。よって、第１の突起部１１を安定的に繰り返し凹ませることができる。
【００６８】
また、周囲に設けられた複数の第２の突起部１２よりも高い第１の突起部１１を設けることにより、第１の突起部１１が先に頭皮に当接した状態で、他の第２の突起部１２が頭皮に当接することになる。頭皮に押し付けられることで変位した第１の突起部１１は、その弾性復帰に伴って頭皮への押圧力が第２の突起部１２よりも高くなる。使用時においては、複数の第２の突起部１２によって頭皮をかき分けながら、常に第１の突起部１１において頭皮を押圧した状態が維持される。このため、使用者はマッサージ実感を得やすい。
【００６９】
また、第１の突起部１１の周囲に、第１の突起部１１よりも低い第２の突起部１２を多数設けることにより、第１の突起部１１の凹み効果を損ねることなくマッサージ効果を高めることができる。
【００７０】
また、本実施形態では、第１の突起部１１が第２の突起部１２よりも太い径を有している。このため、第１の突起部１１による頭皮への押圧力を第２の突起部１２よりも高めることができる。
【００７１】
また、先端に向けて漸次細くなる先細り状とされた円錐形状の第２の突起部１２Ｂを、ブラシ部材７の長軸方向Ｄ１の中央側に４つ配置することにより、頭髪を絡みなくかき分けることができる。一方、先端に向かいその径が略同一とされた円柱形状の第２の突起部１２Ａを長軸方向Ｄ１の両側に配置することによって、頭皮への押圧力を高めることができる。このため、第２の突起部１２Ａ，１２Ｂでは、頭髪のかき分け効果を高めるだけでなくマッサージ効果も高められる。
【００７２】
また、本実施形態の基台２には、ブラシ面２１に複数の毛束３ａが植毛されており、一方向に列をなす複数の毛束３ａを挟み込むようにして、その列の両側に第２の突起部１２がそれぞれ配置されている。これにより、第２の突起部１２によって頭髪をかき分けることで、毛束３ａによる頭皮の毛穴洗浄力を高めることができる
【００７３】
また、本実施形態のブラシ部材７には、平板部９の一面とは反対の他面側から第１の突起部１１内に凹む凹部９Ｄが設けられている。このため、第１の突起部１１の往復移動時に、凹部９Ｄの開口が開くように凹部形状が変形することによって、第１の突起部１１の変位量（移動量）を大きくすることができる。
【００７４】
このように本実施形態の頭皮洗浄用ブラシ１によれば、頭皮や頭髪に対する高い洗浄力を維持しながら、使用者に対して高いマッサージ実感を与えることができる。
【００７５】
以上、本発明の一実施形態の頭皮洗浄用ブラシ１について説明したが、本発明の頭皮洗浄用ブラシは上記例示した実施形態に限定されない。
例えば、本実施形態では、第１の突起部１１が基台２に対してその法線方向へ往復移動するように構成されているが、第２の突起部１２も同様に構成してもよい。
また、第１の突起部１１の先端部１８の数は特に限定されないが、先端部１８を複数設けることで、頭皮への当たり心地を高めることができる。例えば、先端部１８の数としては、１〜７つが好ましく、３〜６つがより好ましい。
また、本実施形態では、形状の異なる２種類の第２の突起部１２Ａ，１２Ｂを設けたが、第２の突起部１２Ａあるいは第２の突起部１２Ｂのいずれかのみ用いてもよい。
【実施例】
【００７６】
以下、実施例１〜３を示して本発明を詳細に説明するが、本発明は以下の記載によって限定されるものではない。表１に、各実施例１〜３の各仕様を示す。
【００７７】
[実施例１]
以下の手順で、ブラシ部材７を製造し、ブラシ部材７が取付けられた基台２を筐体４に取り付け、図１に示す形態の頭皮洗浄用ブラシＰ１を作製した。
【００７８】
（基台の作製）
７９．０ｍｍ（長軸）×６４．３ｍｍ（短軸）の平面視略楕円形状とされ、厚さが４．５ｍｍの基台２を用意し、ブラシ面２１に第１の突起部１１及び複数の第２の突起部１２を挿通させる挿通孔１５，１６と、毛束３ａを植毛するための植設穴８をそれぞれ形成した。第１挿通孔１５の直径は約１６ｍｍとし、第２挿通孔１６の直径は約６ｍｍとした。
【００７９】
（用毛の作製）
ポリブチレンテレフタレート（ＰＢＴ）からなる直径１９０μｍの用毛の原糸を等寸法にカットし、規定温度に加温した高濃度ＮａＯＨ溶液中に浸漬して薬品加工を施す従来公知の方法を用い、両端部を先細り状に加工し、用毛を得た。この用毛は、先端から０．１ｍｍの部位における直径は約２０μｍ、先端から３ｍｍの部位における直径は約２００μｍ、先端から１３ｍｍの部位における直径は約３０５μｍである。また、用毛３１の平均長さは、２６．０ｍｍ±１．０ｍｍである。
【００８０】
（用毛の植毛）
得られた用毛３１を約１５本で一束としてその中央部から折り返すようにして、基台２の所定の植設穴８に用毛を植毛することにより、所定の植設穴８に毛束３ａが取り付けられた状態とした。ブラシ面２１に毛束３ａを多数植設することによって、複数の毛束群３を設けた。ここでは、直径３．５ｍｍの仮想円の円周上に配置された４つの毛束３ａによって、一つの毛束群３を構成した。用毛３１の材料として、ポリブチレンテレフタレートを用いた。
【００８１】
（ブラシ部材の作製）
突出方向に交差する横断面が真円形である突起部１１，１２が表面に形成された図示略の弾性体基板を一体成形で作製した。ブラシ面２１の中央部の第１の突起部１１は、ブラシ面２１からの高さが１８．５ｍｍとなるようにし、ブラシ面２１の周縁部の第２の突起部１２は、ブラシ面２１からの高さが１７ｍｍとなるようにした。また、第１の突起部１１は、先端部１８が直径５．５ｍｍ、根元部１９が直径１４ｍｍとされており、基台２に形成された直径約１６ｍｍ（実際には、１５．８ｍｍ）の第１挿通孔１５内に挿通されている。ブラシ部材７の材料として、スチレン系エラストマー（硬度：６０Ａ）を用いた。
【００８２】
（筐体の作製）
図１に示すような把持部４２を有し、ポリスチレン系樹脂からなる筐体４を成形した。
また、平面視楕円形の筐体４の長軸は、短軸の約１．２倍とした。排出口１３の開口の内接円の直径は約２．７ｍｍとした。
【００８３】
（頭皮洗浄用ブラシの作製）
ブラシ面２１上に複数の毛束３ａが植毛されるとともに、突起部１１，１２を挿通させるための挿通孔１５，１６が形成された基台２と、突起部１１，１２を有するブラシ部材７とを、上記工程で成形した筐体４の開口部４１に嵌め込んで一体に取付け、実施例１の頭皮洗浄用ブラシ１を得た。この際、基台２にブラシ部材７を取り付けて、基台２に形成された挿通孔１５，１６に突起部１１，１２が挿通されてブラシ面２１から突出したものを組み付けた。
【００８４】
[実施例２]
次に、表１に示す仕様の実施例２の頭皮洗浄用ブラシＰ２を作成した。図９は、実施例２の頭皮洗浄用ブラシの概略構成を示す平面図である。
頭皮洗浄用ブラシＰ２は、図９に示すように、毛束群３に代えて、同じ場所に第２の突起部１２Ｂが設けられている点において、実施例１とは異なる。ここでは、１６本の毛束群３に代えて同数の第２挿通孔１６が設けられた基台２と、１６個の貫通孔９ｃに代えて同数の第２の突起部１２Ｂが設けられたブラシ部材７と、を用意し、頭皮洗浄用ブラシＰ２とした。複数の第２の突起部１２Ｂは、各々の直径が、挿通される各第２挿通孔１６の穴径と等しい寸法のため基台２に対して移動しないが、第１の突起部１１は、実施例１と同様に、直径よりも大径をなす第１挿通孔１５内に挿通されているため基台２に対して移動する。
【００８５】
[実施例３]
次に、表１に示す仕様の実施例３の頭皮洗浄用ブラシＰ３を作成した。図１０は、実施例３の頭皮洗浄用ブラシの概略構成を示す平面図である。
図１０に示すように、頭皮洗浄用ブラシＰ３においても、１６本の毛束群３に代えて、同じ場所に同数の第２の突起部１２Ｂが設けた。さらに、円柱形状の第２の突起部１２Ａに代えて円錐形状の第２の突起部１２Ｂを４つ設け、一面に円錐形状の第２の突起部１２を２８本有したブラシ部材７を用意した。
【００８６】
また、実施例１では４つの先端部１８を有した１本の第１の突起部１１を有するブラシ部材を用いたが、実施例３では、４本の円柱形状の第１の突起部１１Ａを設けたブラシ部材７を用いた。これら４本の第１の突起部１１の全てが基台２の第１挿通孔１５内に挿通された構成とし、実施例３の頭皮洗浄用ブラシＰ３とした。各第１の突起部１１Ａは、直径６ｍｍの円柱形状である。つまり、表１に示すように、第１の突起部１１Ａの根元部の直径を６ｍｍとした。
【００８７】
（評価）
得られた実施例１〜３の頭皮洗浄用ブラシＰ１〜Ｐ３を用いて、「マッサージ感」、「毛穴洗浄実感」の２項目について、試験パネルが以下に説明する評価基準で視認評価を行った。結果を表１に示す。
【００８８】
（１）マッサージ感
１０名の使用者が、頭皮洗浄用ブラシＰ１〜Ｐ３でシャンプーを用いて頭皮洗浄を行った際のマッサージ感を下記の６段階でそれぞれ採点して、平均値を取った。
６点・・・マッサージ感が非常に良い
５点・・・マッサージ感がかなり良い
４点・・・マッサージ感がやや良い
３点・・・マッサージ感がやや悪い
２点・・・マッサージ感がかなり悪い
１点・・・マッサージ感が非常に悪い
（２）毛穴洗浄実感
１０名の使用者が、頭皮洗浄用ブラシＰ１〜Ｐ３でシャンプーを用いて頭皮洗浄を行った際の毛穴洗浄実感を下記の６段階でそれぞれ採点して、平均値を取った。
６点・・・毛穴洗浄実感が非常に良い
５点・・・毛穴洗浄実感がかなり良い
４点・・・毛穴洗浄実感がやや良い
３点・・・毛穴洗浄実感がやや悪い
２点・・・毛穴洗浄実感がかなり悪い
１点・・・毛穴洗浄実感が非常に悪い
【００８９】
［比較例１］
図１１は、比較例１の頭皮洗浄用ブラシの概略構成を示す平面図である。
実施例３と略同様の手順により、図１１に示すような比較例１の頭皮洗浄用ブラシＱ１を作成し、基台２に対して４本の第１の突起部１１Ａが凹まない構成とした。頭皮洗浄用ブラシＱ１は、上述した実施例３と同様、実施例１のような１本の第１の突起部１１に換えて４本の円柱形の第１の突起部１１Ａを有しているが、各第１の突起部１１Ａが基台２の中央部分に形成された４つの第２挿通孔１６内にそれぞれ挿入されている点において、実施例３とは異なっている。第１の突起部１１Ａを当該第１の突起部１１Ａの直径（６ｍｍ）と同様の穴径（６ｍｍ）を有した第２挿通孔１６内に挿通させることで、４本の第１の突起部１１Ａが基台２に対して凹まない構成とした。
【００９０】
[比較例２]
図１２は、比較例２の頭皮洗浄用ブラシの概略構成を示す平面図である。
実施例３と略同様の手順により、図１２に示すような比較例２の頭皮洗浄用ブラシＱ２を作成し、基台２に対して第１の突起部１１Ｂが凹まない構造とした。頭皮洗浄用ブラシＱ２は、上述した実施例２，３と同様に、１６本の毛束群３、４本の第２の突起部１２Ａに代えて、２８本の第２の突起部１２Ｂを備えているとともに、第１挿通孔１５の穴径（１５．８ｍｍ）と同じ直径を有する１本の第１の突起部１１Ｂを備えている。実施例１及び実施例２では先端が分岐された第１の突起部１１を有していたが、比較例２では、先端が分岐されていない１本の第１の突起部１１Ｂとした。
【００９１】
（評価）
得られた比較例１、２の頭皮洗浄用ブラシＱ１、Ｑ２を用い、実施例１〜３と同様にしてシャンプーを用いて頭皮洗浄を行った際のマッサージ感を下記の６段階でそれぞれ採点して、平均値を取った。結果を表１に示す。
【００９２】
【表１】
2016220976.tif 000003
【００９３】
［評価結果］
表１に示すように、実施例１の頭皮洗浄用ブラシＰ１では、ブラシ部材７の裏面２６が筐体４の空洞４ａ内に露出しており、裏面２６側を覆う部材は何も設けられていない。そのため、実施例１の頭皮洗浄用ブラシ１では、使用時に第１の突起部１１がブラシ面２１に対して凹み、「マッサージ感」及び「毛穴洗浄実感」のいずれも「６点」となり、非常に良い結果が得られた。また、基台２には、第１の突起部１１の直径よりも大きい第１挿通孔１５が形成されているため、第１の突起部１１の往復移動が自在であるとともに、第１の突起部１１の弾性復帰力によって頭皮を適度に押圧することになり、高いマッサージ感が得られた。
【００９４】
実施例２の頭皮洗浄用ブラシＰ２では、実施例１と同様に基台２に対して凹む第１の突起部１１と、ブラシ面上に設けた多数の第２の突起部１２Ａ，１２Ｂと、によって、「マッサージ感」については「５点」と非常に良い結果が得られた。しかしながら、毛束を備えていない構成のため、「毛穴洗浄実感」については、「４点」であった。
【００９５】
実施例３の頭皮洗浄用ブラシＰ３は、基台２に対して凹む４本の円柱状の第１の突起部１１Ａを有しているが、第１の突起部１１Ａの直径は６ｍｍであり、１４ｍｍの直径を有する実施例１の第１の突起部１１よりも細い形状である。このため、マッサージ感の評価は「４点」であったが、比較例１及び比較例２より明らかに優れた結果となった。
【００９６】
上記実施例１〜３に対して、比較例１の頭皮洗浄用ブラシＱ１では、中央に設けた４本の第１の突起部１１Ａの直径が、基台２に設けられた第２挿通孔１６の穴径と略等しい寸法となっている。このため、４本の第１の突起部１１Ａの筐体４側への移動が規制されてしまい、ブラシ面２１に対して各第１の突起部１１Ａが凹まない構造となっている。
これにより、「マッサージ感」の評価が「２点」となり、実施例１〜３に比べるとかなり悪い結果となった。
【００９７】
また、比較例２の頭皮洗浄用ブラシＱ２では、先端が分岐されていない１本の第１の突起部１１Ｂの直径が、基台２に設けられた第１挿通孔１５の穴径と略等しい寸法となっている。このため、第１の突起部１１Ｂの筐体４側への移動が規制されてしまい、ブラシ面２１に対して第１の突起部１１Ｂが凹まない構造となっている。
これにより、比較例１と同様に「マッサージ感」の評価が２点となり、実施例１〜３に比べるとかなり悪い結果となった。
【００９８】
以上のように、実施例１〜３の頭皮洗浄用ブラシＰ１〜Ｐ３によれば、使用時に中央部分に設けられた一つあるいは複数の第１の突起部がブラシ面２１に対して凹むため、第１の突起部が凹まない構造の比較例１，２の頭皮洗浄用ブラシＱ１，Ｑ２と比べると、「マッサージ感」、「毛穴洗浄実感」の両方に優れていることが分かった。
【符号の説明】
【００９９】
１…頭皮洗浄用ブラシ、２…基台、３ａ…毛束、４…筐体、４ａ…空洞（中空部）、７…ブラシ部材、９…平板部、９ａ…一面、９Ｄ…凹部、ｔ…板厚、１１…第１の突起部、１２…第２の突起部、１５…第１挿通孔（挿通孔）、１６…第２挿通孔（挿通孔）、１８…先端部、１９…根元部、２１…ブラシ面、２７…支持部、４１…開口部、Ａ１…第１領域、Ｄ２…短軸方向（第２方向）、Ｐ１，Ｐ２，Ｐ３…実施例１，２，３の頭皮洗浄用ブラシ、Ｑ１，Ｑ２…比較例１，２の頭皮洗浄用ブラシ
【図２】
2016220976.tif 000004
【図３】
2016220976.tif 000005
【図５】
2016220976.tif 000006
【図６】
2016220976.tif 000007
【図７】
2016220976.tif 000008
【図８】
2016220976.tif 000009
【図９】
2016220976.tif 000010
【図１０】
2016220976.tif 000011
【図１１】
2016220976.tif 000012
【図１２】
2016220976.tif 000013
【図１】
2016220976.tif 000014
【図４】
2016220976.tif 000015